(57)【要約】【課題】スライドショーの再生中に早戻しを実行したとき、再生中のトラックと結びつく正しい静止画を表示することができるディスク再生装置を提供する。【解決手段】ディスク媒体に記録された情報を読取るピックアップ部と、ピックアップ部により読取られた情報から画像・音声データを再生するデータ再生部と、データ再生部によって再生した静止画像データと音声データをデコードしてスライドショーの再生を可能にした映像・音声デコーダと、スライドショーの再生時に早戻しが実行され、ピックアップ部が現トラックから前トラックに進入したときに、進入トラックがスライドショーのトラックである場合は、進入トラックの先頭部にある静止画像をデコードし進入トラックの終端から早戻しするように制御する制御部と、を具備する。【選択図】図３
2010176763.tif 000002
【特許請求の範囲】
【請求項１】
ディスク媒体に記録された情報を読取るピックアップ部と、
前記ピックアップ部により読取られた情報から画像・音声データを再生するとともに、前記ディスク媒体に記録されたビデオ・オブジェクト・ユニット（ＶＯＢＵ）に含まれているシーケンス・エンド・コード（Sequence＿end＿code）を検出するデータ再生部と、
前記データ再生部によって再生した静止画像データと音声データをデコードして表示部及び音声出力部に供給し、スライドショーの再生を可能にした映像・音声デコーダと、
ユーザ操作に応答して早戻しの指示を行う操作部と、
前記スライドショーの再生時に早戻しが実行され、前記ピックアップ部が現トラックから前トラックに進入したときに、進入トラックがスライドショーのトラックである場合は、前記進入トラックの先頭部にある静止画像をデコードし前記進入トラックの終端から早戻しするように制御する制御部と、
を具備したディスク再生装置。
【請求項２】
前記ディスク媒体のトラック再生中に前記ＶＯＢＵに含まれるシーケンス・エンド・コードを検出したとき、その検出結果を記憶する記憶部を有し、
前記制御部は、前記早戻しの実行中に前記記憶部に記憶した検出結果をもとに前記進入トラックがスライドショーのトラックであるか否かの判断を行うことを特徴とする請求項１記載のディスク再生装置。
【請求項３】
前記制御部は、前記早戻しの途中で前記ピックアップ部がトラックの境界を通過したときに、進入トラックのＶＯＢＵに映像データ（Ｖ_ＰＣＫ）があるか否かを判断し、前記映像データ（Ｖ_ＰＣＫ）がない場合は前記進入トラックがスライドショーのトラックであると判断することを特徴とする請求項１記載のディスク再生装置。
【請求項４】
前記制御部は、前記進入トラックがスライドショーのトラックでないと判断した場合は、前記進入トラックの先頭部をサーチすることなく、早戻しを実行することを特徴とする請求項１記載のディスク再生装置。
【請求項５】
ディスク媒体に記録された情報を読取るピックアップ部を備え、
前記ピックアップ部により読取られた情報から静止画像データと音声データをデコードしてスライドショーを再生し、
前記スライドショーの再生中に、早戻しが実行され、前記ピックアップ部が現トラックから前トラックに進入したときに、進入トラックがスライドショーのトラックであるか否かを判断し、
進入トラックがスライドショーのトラックである場合は、前記進入トラックの先頭部にある静止画像をデコードし、
前記進入トラックの終端から早戻しすることを特徴とするディスク再生方法。
【請求項６】
前記ディスク媒体のトラック再生中に、前記ディスク媒体に記録されたビデオ・オブジェクト・ユニット（ＶＯＢＵ）に含まれるシーケンス・エンド・コード（Sequence＿end＿code）を検出したとき、その検出結果を記憶部に記憶し、
前記早戻しが実行されたとき、前記記憶した検出結果をもとに前記進入トラックがスライドショーのトラックであるか否かを判断することを特徴とする請求項５記載のディスク再生方法。
【請求項７】
前記記憶部に前記検出結果が記憶されていない場合は、前記早戻しの途中で前記ピックアップ部がトラックの境界を通過したときに、進入トラックのＶＯＢＵに映像データ（Ｖ_ＰＣＫ）があるか否かを判断し、
前記映像データ（Ｖ_ＰＣＫ）がない場合は、前記進入トラックがスライドショーのトラックであると判断することを特徴とする請求項６記載のディスク再生方法。
【請求項８】
前記進入トラックがスライドショーのトラックでないと判断した場合は、前記進入トラックの先頭部をサーチすることなく、早戻しを実行することを特徴とする請求項５記載のディスク再生方法。
【発明の詳細な説明】
【技術分野】
【０００１】
本発明は、ディスク媒体であるＤＶＤ（Digital Versatile Disk）に記録された情報を再生するディスク再生装置に係り、特にスライドショーの再生を可能にしたディスク再生装置及びディスク再生方法に関する。
【背景技術】
【０００２】
近年、ＤＶＤ−Ｖｉｄｅｏ規格又はＤＶＤ−Ａｕｄｉｏ規格に準拠した光ディスク媒体（以下ＤＶＤと称す）に対して音声信号や映像信号等の情報を記録し、それを再生するディスク再生装置が普及している。このようなディスク再生装置の再生処理機能の１つとして、スライドショーの機能がある。
【０００３】
スライドショーは、ＤＶＤ−Ｖｉｄｅｏ及びＤＶＤ−Ａｕｄｉｏのビデオゾーンに記録されたスライドショー用の静止画信号と音声信号をデコードして、静止画像を表示しながら同時に音声を再生するものであり、所定の時間間隔毎に静止画像を切替えて表示する機能である。スライドショーの再生は、音楽を重視して映像の変化が少ないため、車載用の再生機器等に適している。
【０００４】
またスライドショーには、トラックの先頭のみに静止画が記録され、先頭の静止画を読み出して表示した後の同一トラックの再生中には画像が切り替わらないものが存在する。このようなディスクの場合、各トラックを再生中の音声信号と静止画像は関連性が強く、例えば、再生中の曲のＣＤジャケットや曲名を静止画で表示する場合がある。
【０００５】
しかしながら、従来のディスク装置では、任意のトラックから早戻しでスライドショーのトラックに遷移した場合に、早戻し箇所に画像データが存在せず表示画像が更新されないため、スライドショーの音声と組み合わせて表示されるべき本来の静止画とは異なる画像を表示してしまい、ユーザに違和感を与えるという不具合がある。
【０００６】
図５は、スライドショーの再生中に早戻しを実行した場合の不具合を説明する図である。図５において、横軸は時間軸を示している。スライドショー用の静止画像データ(Ｓ１，Ｓ２…Ｓｎ)は、所定の時間間隔、例えばディスク媒体の各トラック（トラック１，２，３…）の先頭に記録されている。
【０００７】
スライドショーの再生時は、図５に示すように所定間隔で記録されている静止画像データ（Ｓ１，Ｓ２…Ｓｎ）を順次に読取り、新たな静止画像データが読み込まれるまでは同じ静止画像を繰り返し表示する。このとき音声信号Ａ１は途切れることなく再生される。
【０００８】
ところで、スライドショーの再生中に早戻しの操作を行った場合、例えばトラック３を再生中（静止画Ｓ３を表示中）に、トラック３のＡ点からトラック２に向かって早戻しを行った場合、トラック２の早戻し中は静止画Ｓ２ではなく静止画Ｓ３が表示されることになる。
【０００９】
また、トラック２の途中で早戻しを解除した場合、Ｂ点からトラック３の先頭までの間にはデコード可能な静止画データが存在しないために、前にデコードした静止画Ｓ３を表示しながらトラック２の音声を再生してしまう。
【００１０】
このため、表示している静止画と再生している音声の関係がずれてしまうため、ユーザはプレーヤの不具合であると判断しかねない。また早戻し中に音声を出力しないプレーヤでは、所望のトラックまで早戻しを実行する際に、表示している静止画をもとに早戻し中のトラックを判断したいところであるが、静止画が切り替わらないために早戻し中のトラックを判断することができないという不具合がある。
【００１１】
特許文献１には、静止画情報のタイトル番号と静止画の切換位置を表示するディスク装置について記載されている。しかしながら、この例においても上述した早戻し時の不具合（表示している静止画と再生している音声の関係がずれる）を解消することはできない。
【先行技術文献】
【特許文献】
【００１２】
【特許文献１】特開２００８−８０３２９号公報
【発明の概要】
【発明が解決しようとする課題】
【００１３】
従来のディスク再生装置では、スライドショーの再生中に早戻しの操作を行った場合、表示している静止画と再生している音声の関係がずれてしまう。また早戻し中に音声を出力しないプレーヤでは、所望のトラックまで早戻しを実行する際に、表示中している静止画をもとに早戻し中のトラックを判断したくても、静止画が切り替わらないために判断ができないという不具合がある。
【００１４】
本発明は、このような事情に鑑みて、スライドショーの早戻し実行時及び実行後に、再生中のトラックと結びつく正しい静止画を表示することができるディスク再生装置及びディスク再生方法を提供することを目的とする。
【課題を解決するための手段】
【００１５】
請求項１記載の本発明のディスク再生装置は、ディスク媒体に記録された情報を読取るピックアップ部と、前記ピックアップ部により読取られた情報から画像・音声データを再生するとともに、前記ディスク媒体に記録されたビデオ・オブジェクト・ユニット（ＶＯＢＵ）に含まれているシーケンス・エンド・コード（Sequence＿end＿code）を検出するデータ再生部と、前記データ再生部によって再生した静止画像データと音声データをデコードして表示部及び音声出力部に供給し、スライドショーの再生を可能にした映像・音声デコーダと、ユーザ操作に応答して早戻しの指示を行う操作部と、前記スライドショーの再生時に早戻しが実行され、前記ピックアップ部が現トラックから前トラックに進入したときに、進入トラックがスライドショーのトラックである場合は、前記進入トラックの先頭部にある静止画像をデコードし前記進入トラックの終端から早戻しするように制御する制御部と、を具備したことを特徴とする。
【００１６】
また、請求項５記載の本願発明のディスク再生方法は、ディスク媒体に記録された情報を読取るピックアップ部を備え、前記ピックアップ部により読取られた情報から静止画像データと音声データをデコードしてスライドショーを再生し、前記スライドショーの再生中に、早戻しが実行され、前記ピックアップ部が現トラックから前トラックに進入したときに、進入トラックがスライドショーのトラックであるか否かを判断し、進入トラックがスライドショーのトラックである場合は、前記進入トラックの先頭部にある静止画像をデコードし、前記進入トラックの終端から早戻しすることを特徴とする。
【発明の効果】
【００１７】
本発明のディスク再生装置では、スライドショー再生モードにおいて、早戻しの操作を行っても違和感のない静止画像を表示することができる。
【図面の簡単な説明】
【００１８】
【図１】本発明のディスク再生装置の一実施形態を示す全体構成図。
【図２】同実施形態のディスク媒体に記録されるデータの階層構造を説明する図。
【図３】同実施形態におけるスライドショーでの早戻し動作を説明する説明図。
【図４】同実施形態におけるスライドショーでの早戻し動作を説明するフローチャート。
【図５】従来のディスク再生装置におけるスライドショーでの早戻し動作を説明する説明図。
【発明を実施するための形態】
【００１９】
以下、この発明のディスク再生装置の一実施形態について図面を参照して説明する。
【実施例１】
【００２０】
図１は、本発明のディスク再生装置１００の全体構成を示すブロック図である。図１において、１はディスク媒体（ＤＶＤ）であり、モータ２によって一定の線速度で回転される。ディスク媒体１に対する情報の記録、再生は、光ピックアップ３によって行われる。光ピックアップ３は、リニアモータ４によってディスク媒体１の径方向に駆動され、リニアモータ４は、リニアモータ制御回路５により制御される。
【００２１】
光ピックアップ３には、対物レンズ３１が設けられ、この対物レンズ３１は、アクチュエータ３２によってフォーカシング方向（レンズ３１の光軸方向）への移動とトラッキング方向（レンズ３１の光軸と直交する方向）への移動が制御される。
【００２２】
ディスク媒体１への情報の書き込みは、半導体レーザ発振器３３から発せられた光ビームを、ビームスプリッタ３４を介してディスク媒体１に照射して行い、ディスク媒体１からの情報の読取り（リード）は、ディスク媒体１からの反射光を、対物レンズ３１、ビームスプリッタ３４、集光レンズ３５、及びシリンドリカルレンズ３６を介して、光検出器３７に導くことによって行う。
【００２３】
半導体レーザ発振器３３は、レーザ制御回路６によって駆動制御され、半導体レーザ発振器３３から発せられる光ビームは、コリメータレンズ３８、ビームスプリッタ３４、対物レンズ３１を介してディスク媒体１上に照射される。レーザ制御回路６は、半導体レーザ発振器３３から発せられる光ビームを記録／再生に応じて制御する。
【００２４】
光検出器３７は、例えば４分割の光検出セルから成り、各光検出セルの出力信号は、電流／電圧変換用のアンプを介して信号処理回路３８に供給される。信号処理回路３８は、光検出器３７の出力信号を基に、フォーカス制御用の信号、トラッキング制御用の信号、及びデータ再生用の信号を出力する。
【００２５】
フォーカス制御用の信号は、フォーカシング制御回路７に供給され、フォーカシング制御回路７の出力信号は、アクチュエータ３２に供給される。これにより、光ビームが、ディスク媒体１上に常時ジャストフォーカスとなるような制御がなされる。
【００２６】
また、トラッキング制御用の信号はトラッキング制御回路８に供給される。トラッキング制御回路８は、トラック駆動信号を作成してアクチュエータ３２に供給する。これにより、光ピックアップ３のトラッキング方向の移動が制御される。また、トラッキング制御回路８からのトラック駆動信号は、リニアモータ制御回路５にも供給される。 
トラッキング制御回路８によって対物レンズ３１が移動されているとき、リニアモータ制御回路５によりモータ４を制御することで、対物レンズ３１が光ピックアップ３内の中心位置近傍に位置するよう光ピックアップ３が移動制御される。また、モータ２はモータ制御回路９によって制御される。
【００２７】
信号処理回路３８からのデータ再生用の信号は、増幅回路１０を介してデータ再生回路１１に供給される。データ再生回路１１は、増幅回路１０の出力をデジタル化し、デジタル化された信号をＰＬＬ回路１２からの再生用クロックに基づき記録データを再生する。
【００２８】
リニアモータ制御回路５、レーザ制御回路６、フォーカシング制御回路７、トラッキング制御回路８、モータ制御回路９、データ再生回路１１、ＰＬＬ回路１２は、バス１３に接続され、これらの回路はバス１３を介してコントローラ１４によって制御される。
【００２９】
コントローラ１４はＣＰＵ１４１を含み、ＣＰＵ１４１は、ＲＯＭ１５に記録されたプログラムに従ってディスク再生装置１００を制御する。また、バス１３にはＲＡＭ１６が接続され、ＲＡＭ１６はプログラムの実行により処理されたデータ等を記憶する。さらにバス１３には、操作部１７及び映像・音声デコーダ１８が接続されている。操作部１７はユーザによって操作され、例えば再生ボタン１７１、停止ボタン１７２、早戻しボタン１７３、早送りボタン１７４、パワーボタン１７５等を有している。
【００３０】
映像・音声デコーダ１８は、データ再生回路１１で再生したデータから、映像信号及び音声信号をデコードし、映像信号を表示部１９に供給し、音声信号を音声出力部（スピーカ）２０に供給する。また、映像・音声デコーダ１８は、操作部１７の操作に応答してコントローラ１４の制御のもとに、通常の再生や、スライドショーの再生に対応したモードで映像、音声信号を生成する。またバス１３には記憶部（メモリ）２１が接続されている。
【００３１】
本発明のディスク再生装置１００では、ディスク媒体１のビデオ・オブジェクト・ユニット（ＶＯＢＵ）内に含まれるシーケンス・エンド・コード（Sequence＿end＿code）を検出して、スライドショーの再生モードであることを判断する。またスライドショーの再生モードにおいて早戻しを実行した場合には、光ピックアップ３がトラックの境界を通過したときに進入したトラックの先頭部をサーチして静止画像をデコードし、デコードした静止画像を表示した後に進入トラックの終端から早戻しを継続する点に特徴がある。
【００３２】
図２は、ＤＶＤデータの階層構造を示す図であり、シーケンス・エンド・コードを説明するための図である。
【００３３】
ディスク媒体１（ＤＶＤ１）に記録されるデータの階層構造は、ＤＶＤ−Ｖ規格に準拠して定められており、図２に示すように、ＤＶＤビデオエリアには、ビデオマネージャ（ＶＭＧ）及び多数のビデオ・タイトルセット（ＶＴＳ）のデータが記録されている。ＶＭＧにはＶＴＳを管理するデータが記述されており、ＶＭＧの内容は、コントローラ１４に格納される。
【００３４】
ＶＴＳは、ビデオ・タイトルセット情報（ＶＴＳＩ）、ビデオ・タイトルセット・メニュー用ビデオ・オブジェクトセット（ＶＴＳＭ＿ＶＯＢＳ）、ビデオタイトルセット・タイトル用ビデオ・オブジェクトセット（ＶＴＳＴＴ＿ＶＯＢＳ）、ビデオ・タイトルセット情報のバックアップ（ＶＴＳＩ＿ＢＵＰ）等を含んでいる。
【００３５】
またＶＴＳＴＴ＿ＶＯＢＳは、複数のビデオ・オブジェクト・アイデンティフィケーション・ナンバー（ＶＯＢ＿ＩＤＮ）によって構成されており、ＶＯＢ＿ＩＤＮに含まれるデータの階層構造は、複数のＣｅｌｌによって構成されている。
【００３６】
Ｃｅｌｌは、複数のビデオ・オブジェクト・ユニット（ＶＯＢＵ）から構成されており、ＶＯＢＵは、ナビゲーション・パック（ＮＶ＿ＰＣＫ）、オーディオ・パック（Ａ＿ＰＣＫ）、ビデオ・パック（Ｖ＿ＰＣＫ）、サブピクチャ・パック（ＳＰ＿ＰＣＫ）によって構成されている。Ｖ＿ＰＣＫ、Ａ＿ＰＣＫ、ＳＰ＿ＰＣＫは、ＶＯＢＵに複数含まれている。そして、Ｖ＿ＰＣＫ，Ａ＿ＰＣＫ，ＳＰ＿ＰＣＫは、それぞれビデオデータ、音声データ、字幕等のデータを、個別に圧縮・符号化して記録している。
【００３７】
またＮＶ＿ＰＣＫは、ＶＯＢＵに必ず１つ含まれており、ＮＶ＿ＰＣＫは、プレゼンテーション・コントロール情報パケット（ＰＣＩ＿ＰＫＴ）と、データ・サーチ情報パケット（ＤＳＩ＿ＰＫＴ）等から構成され、Ｖ＿ＰＣＫ、Ａ＿ＰＣＫ、ＳＰ＿ＰＣＫのアドレスデータと、通常再生や特殊再生の処理を円滑に行うための付加情報が記録されている。
【００３８】
さらにＰＣＩ＿ＰＫＴには、ＶＯＢＵの再生を制御するナビゲーション・データであるＰＣＩが記述されており、ＰＣＩには、シーケンス・エンド・コード（Sequence＿end＿code）が記録されている。
【００３９】
シーケンス・エンド・コードは、ＶＯＢＵ内のビデオデータの再生終了時刻を記述したものであり、動画の場合には画像データが常に更新されるので最終画像だけに付加されるコードである。また、スライドショーの場合には、次の静止画像迄に時間間隔があるので、静止画像の終了を表すため必ず使われるコードである。したがって、再生中のＶＯＢＵからシーケンス・エンド・コードを検出した場合は、スライドショーの再生中であると判断することができる。
【００４０】
本発明は、この点に着目したものであり、ディスク媒体１の再生中にシーケンス・エンド・コードを検出することで各種の処理を行う。尚、シーケンス・エンド・コードは、データ再生回路１１によって検出することができ、検出結果はコントローラ１４に伝えられる。コントローラ１４は、検出結果に応答して映像・音声デコーダ１８を制御する制御部を構成する。
【００４１】
図３は、本発明のディスク再生装置１００のスライドショーの再生モードを説明する図であり、図３（ａ）は通常のスライドショーの動作を示し、図３（ｂ）は、スライドショーのモードにおいて早戻し操作を行ったときの動作を示す。スライドショー用の静止画像データ（Ｓ１，Ｓ２，Ｓ３…Ｓｎ）は、所定の時間間隔でディスク媒体１に記録されており、静止画像の表示更新タイミング（各トラックの先頭部分）に記録されている。また音声データＡ１は継続して記録されている。
【００４２】
したがって再生ボタン１７１が操作され、ディスク媒体１に記録されているシーケンス・エンド・コードを有するＶＯＢＵが再生された場合、スライドショーによる再生が実行される。このとき、図３（ａ）で示すように所定間隔で記録されている静止画データ（Ｓ１，Ｓ２，Ｓ３…Ｓｎ）を順次に読取り、次の静止画データが読取られるまでは前の静止画像を繰り返し表示する。また音声信号Ａ１は途切れることなく再生される。
【００４３】
一方、操作部１７を操作して早戻しボタン１７３が押されたとき、光ピックアップ３は、再生中のトラックから前のトラックに向けて所定間隔置きに飛び飛びにサーチしていく。このとき、コントローラ１４は、再生しているトラックがスライドショーのモードであるか否かの判断を行う。
【００４４】
つまりスライドショーの再生においては、例えば、図３の静止画Ｓ１を表示してから静止画Ｓ２が表示されるまでの間は、画像データの更新がされないことを示すシーケンス・エンド・コードが静止画Ｓ１のＶＯＢＵに記録されている。従ってシーケンス・エンド・コードを持つＶＯＢＵを再生した時点で、コントローラ１４は、そのトラックはスライドショーのトラックであると判断し、判断結果を記憶部２１に記憶する。
【００４５】
一方、記憶部２１に判断結果が記憶されていない場合は、早戻しの途中でトラックの境界を通過した（跨いだ）瞬間に、進入したトラックのＶＯＢＵに映像データ（Ｖ_ＰＣＫ）があるか否かの判断を行う。即ち進入したトラックのＶＯＢＵにＶ_ＰＣＫが存在しない場合、そのトラックはスライドショーのトラックであると判別する。Ｖ_ＰＣＫがある場合は動画であるため、スライドショーのトラックではないと判断する。
【００４６】
そして、トラックの境界を跨いだときに、進入先のトラックがスライドショーのトラックではないと判断した場合は、従来の処理と同様にそのまま早戻しを行う。またスライドショーのトラックであると判断した場合は、一旦、進入したトラックの先頭部をサーチし、静止画像をデコードする。そして静止画を表示した後に、進入トラックの終端に戻って早戻しを行う。
【００４７】
即ち、図３（ｂ）に示すように、例えばスライドショーでトラック４を再生している途中で早戻しを実行した場合、光ピックアップ３は、番号１で示すようにトラック４からトラック３に向けて飛び飛びにトラックをサーチする。そしてトラックの境界を通過した瞬間、進入先のトラック３がスライドショーのトラックか否かを判断する。スライドショーのトラックである場合は、番号２で示すようにトラック３の先頭部にある静止画Ｓ３をデコードし、表示部１９に静止画Ｓ３を表示する。
【００４８】
そして静止画Ｓ３を表示した状態で、番号３で示すようにトラック３の終端に戻り、番号４で示すように終端から先頭に向かって早戻しを継続する。したがって、トラック３を早戻し中はトラック３の静止画Ｓ３が表示される。或いは早戻しと同時に静止画を表示するようにしてもよい。またトラック３から、さらに前のトラック２に向けて早戻しした場合は、点線で示すように同様の処理を行う。
【００４９】
図４は、スライドショーの再生モードにおいて、早戻しを実行したときの動作を示すフローチャートである。図４において、Ｓ１は早戻しの動作開始ステップである。ステップＳ２で現トラックから前のトラックに進入したとき（トラックを跨いだとき）、ステップ３でコントローラ１４は記憶部２１に記憶された情報をもとに、スライドショーの判断が既に行われているか否かを確認する。
【００５０】
スライドショーの判断が既に行われている場合は、ステップＳ４に進み、スライドショーである旨の判断がされている場合は、ステップＳ６に進む。またスライドショーの判断が未だ行われていない場合は、ステップＳ５において、進入先のトラックのＶＯＢＵに映像データ（Ｖ_ＰＣＫ）があるか否かの判断を行う。進入したトラックのＶＯＢＵにＶ_ＰＣＫが存在しない場合は、そのトラックはスライドショーのトラックであると判別し、次のステップＳ６に進む。ステップＳ６では、進入したトラックの先頭部をサーチし、先頭部にある静止画をデコードし、静止画を表示する。そして静止画を表示した状態で、ステップＳ７ではトラックの終端をサーチし、ステップＳ８でトラックの終端から早戻しを継続する。
【００５１】
またステップＳ４でスライドショーのトラックではないとの判断がされている場合は、ステップＳ８に進み、早戻しを継続する。同様にステップＳ５で、進入したトラックのＶＯＢＵにＶ_ＰＣＫがあると判断した場合は、動画であるためスライドショーのトラックではないと判断し、ステップＳ８に進み、そのまま早戻しを継続する。
【００５２】
ステップＳ９では、早戻しの操作が解除されたか否かを判断し、早戻しが解除された場合は、ステップＳ１０で早戻しを終了する。またステップＳ９で早戻し操作が継続している場合は、ステップＳ２に戻って前述した処理を続ける。したがって、早戻し中は現トラックの静止画が表示される。
【００５３】
このように、本発明のディスク再生装置では、スライドショーの早戻し実行時及び実行後には、表示している静止画と再生している音声の関係が一致するため、再生中のトラックと結びつく正しい静止画を表示することができる。また早戻し中に音声を出力しないプレーヤでは、所望のトラックまで早戻しを実行する際に、表示中の静止画がトラックを跨ぐ毎に切り替わるため、所望のトラックまで早戻ししたことを容易に判断することができる。こうして本発明では、スライドショー再生中に早戻しを実行した場合に、再生中のトラックと結びつく正しい静止画の表示することができる。
【００５４】
また本発明の実施形態は、以上の説明に限定されることなく、特許請求の範囲を逸脱しない範囲内で種々の変形が可能である。
【符号の説明】
【００５５】
１…ディスク媒体
２…モータ
３…光ピックアップ
４…リニアモータ
５…リニアモータ制御回路
６…レーザ制御回路
７…フォーカシング制御回路
８…トラッキング制御回路
９…モータ制御回路
１０…増幅回路
１１…データ再生回路
１２…ＰＬＬ回路
１３…バス
１４…コントローラ
１５…ＲＯＭ
１６…ＲＡＭ
１７…操作部
１８…映像・音声デコーダ
１９…表示部
２０…音声出力部
２１…記憶部
１００…ディスク再生装置
【図１】
2010176763.tif 000003
【図２】
2010176763.tif 000004
【図３】
2010176763.tif 000005
【図４】
2010176763.tif 000006
【図５】
2010176763.tif 000007